(57)【要約】【課題】人工や工数等の増加を抑制し、短時間で容易に製造することができる外壁パネルの製造方法を提供すること。【解決手段】屋内側に位置する下地パネル２１と、屋外側に位置する外装パネル２２とを重ね合わせた外壁パネル２０の製造方法であって、外装パネル２２は、あらかじめ小割パネル２３を複数結合して形成された後、下地パネル２１に重ね合わせて屋外側から固着する。【選択図】  図２
2004339792.tif 000002
【特許請求の範囲】
【請求項１】
屋内側に位置する下地パネルと、屋外側に位置する外装パネルとを重ね合わせた外壁パネルの製造方法であって、
前記外装パネルは、あらかじめ小割パネルを複数結合して形成された後、前記下地パネルに重ね合わせて屋外側から固着することを特徴とする外壁パネルの製造方法。
【請求項２】
複数の前記小割パネルをその側縁部に沿って設けた縁材を介して結合することにより前記外装パネルを形成した後、前記縁材を前記下地パネルに固着することを特徴とする請求項１に記載の外壁パネルの製造方法。
【請求項３】
請求項１又は請求項２に記載の外壁パネルの製造方法により製造されたことを特徴とする外壁パネル。
【請求項４】
請求項３に記載の外壁パネルを有することを特徴とする建物ユニット。
【発明の詳細な説明】
【０００１】
【発明の属する技術分野】
この発明は、下地パネルと外装パネルとを重ね合わせた外壁パネルの製造方法及びこれを用いた外壁パネルとこれを有する建物ユニットに関するものである。
【０００２】
【従来の技術】
従来の製造方法による外壁パネルとしては、図５に示すようなものが知られている（例えば、特許文献１参照）。
【０００３】
この外壁パネル１の製造方法は、まず下地パネル２を壁枠組１Ａに固定し、下地パネル２の表面の所定位置に弾性マット３を貼り付ける。なお、この弾性マット３はあらかじめ下地パネル２に貼り付けておいてもよい。一方、屋外側に位置する外装パネル４は複数の小割パネル４Ａを有しており、各小割パネル４Ａの側縁部にあらかじめ取付フレーム５を取り付けておく。
【０００４】
そして、下地パネル２の取付穴２Ａと取付フレーム５の取付穴５Ａとを位置合わせして、屋内側から両取付穴２Ａ、５Ａを貫通するリベット６を打ち込んで下地パネル２に取付フレーム５を固定する。これにより、壁枠組１Ａに固定された下地パネル２に取付フレーム５を介して小割パネル４Ａが固定される。そして最後に、屋外側から小割パネル４Ａの表面に表面仕上げを施すと共に、各小割パネル４Ａ間の隙間に目地材７を装着して外装パネル４を形成し、外壁パネル１が完成する。
【０００５】
【特許文献１】
特開平５−２８０１７３号公報（段落００１４、図１）
【０００６】
【発明が解決しようとする課題】
ところで、上述の外壁パネル１の製造方法では、下地パネル２と外装パネル４とを固定する場合に屋内側から取付フレーム５を固定している。一方、外装パネル４を形成するために、屋外側から目地材７を装着しなければならなくなっている。
【０００７】
そのため、屋内側と屋外側とで作業をする必要があり、人工及び工数が増加してしまうという問題が生じていた。
【０００８】
また、断熱材を下地パネル２の屋内側に設ける場合では、断熱材を設ける前に外装パネル４を下地パネル２に取り付けておかなければならず、作業手順が固定されていた。
【０００９】
この発明は、上記問題に鑑みてなされたもので、人工や工数等の増加を抑制し、短時間で容易に製造することができる外壁パネルの製造方法を提供することを目的としている。
【００１０】
【課題を解決するための手段】
上記課題を解決するために、請求項１に記載の発明は、屋内側に位置する下地パネルと、屋外側に位置する外装パネルとを重ね合わせた外壁パネルの製造方法であって、外装パネルは、あらかじめ小割パネルを複数結合して形成された後、下地パネルに重ね合わせて屋外側から固着することを特徴としている。
【００１１】
請求項１の発明によれば、あらかじめ小割パネルを複数結合して形成された外装パネルを、屋外側から下地パネルに固着するので、作業方向が屋外側からだけとなる。そのため、屋内側と屋外側とで作業をする必要がなくなり、人工や工数等の増加を抑制して短時間で容易に製造することが可能となる。
【００１２】
また、下地パネルの屋内側に断熱材を設ける場合であっても、断熱材を設ける前に外装パネルを取り付けても、断熱材を設けた後に外装パネルを取り付けてもどちらでもよく、作業手順が固定されない。そのため、作業進度や作業方法等に応じて適切な作業手順を採用することが可能となり、製造時間を短縮することが可能となる。
【００１３】
請求項２に記載の発明は、請求項１に記載の外壁パネルの製造方法において、複数の小割パネルをその側縁部に沿って設けた縁材を介して結合することにより外装パネルを形成した後、縁材を下地パネルに固着することを特徴としている。
【００１４】
請求項２の発明によれば、縁材を下地パネルに固着するので、小割パネルには外装パネルを固定するための固定部材等を設ける必要がなくなる。
【００１５】
そのため、小割パネルの屋外側の見映えが良好となり、外観品質の向上を図ることが可能となる。
【００１６】
請求項３に記載の外壁パネルでは、請求項１又は請求項２に記載の外壁パネルの製造方法により製造されたことを特徴としている。
【００１７】
請求項３の発明によれば、請求項１又は請求項２に記載の製造方法により製造されたので、製造する際に短時間で容易に製造することが可能となる。また、人工や工数の低減を図ることが可能となり、製造コストを抑制することもできる。
【００１８】
請求項４に記載の建物ユニットでは、請求項３に記載の外壁パネルを有することを特徴としている。
【００１９】
請求項４の発明によれば、請求項３に記載の外壁パネルを有しているので、建物ユニットを製造する際の製造ラインのラインスピードを確保することができ、効率よく生産することが可能となる。
【００２０】
【発明の実施の形態】
以下、図面に基づいてこの発明の実施の形態を説明する。
【００２１】
図１に示す１０は建物ユニットであり、この建物ユニット１０は、下側に位置する床枠組１０Ａと、床枠組１０Ａ上に起立する複数の柱１０Ｂと、複数の柱１０Ｂ上に固定される天井枠組１０Ｃとを備え、方体形状に形成されている。
【００２２】
そして、この建物ユニット１０の屋外側には外壁パネル２０が取り付けられ、屋内側には内壁パネル（図示せず）が取り付けられる。
【００２３】
外壁パネル２０は、図２に示すように、柱１０Ｂに固定される下地パネル２１と、下地パネル２１に重ねられる外装パネル２２とを有している。
【００２４】
下地パネル２１は、柱１０Ｂの屋外側から図示しない釘等によって柱１０Ｂに固定されており、床枠組１０Ａ、柱１０Ｂ、天井枠組１０Ｃにより形成される開口１０Ｄを一様に覆っている（図１参照）。
【００２５】
外装パネル２２は、複数の小割パネル２３を有しており、各小割パネル２３の長手方向の側縁部が結合されて形成されている。
【００２６】
各小割パネル２３は、床枠組１０Ａと天井枠組１０Ｃとの間に掛け渡された縦長形状を呈しており、屋外側に表面仕上げが施されている。ここでは、多数のタイル２４が貼り付けられたタイル仕上げとなっている。また、各小割パネル２３の屋内側の長手方向の側縁部には、それぞれ断面コ字状のフレーム２５が固定されている。
【００２７】
このフレーム２５は、一方の起立面２５Ａがボルト２６Ａとナット２６Ｂとによって小割パネル２３に固定され、他方の起立面２５Ｂがリベット２７によって後述する縁材としてのアングル２８に固定されている。
【００２８】
なお、ボルト２６Ａは小割パネル２３を貫通して屋外側から挿入されている。また、起立面２５Ａ、２５Ｂを連結する連結面２５Ｃは小割パネル２３の側縁部と面一に位置している。
【００２９】
アングル２８は、断面ハット形状を呈しており、隣接する一対の小割パネル２３の間に位置している。そして、このアングル２８の一方のフランジ部２８Ａと一方の小割パネル２３に固定されたフレーム２５とが固定され、他方のフランジ部２８Ｂと他方の小割パネル２３に固定されたフレーム２５とが固定されている。
【００３０】
つまり、各小割パネル２３は、アングル２８を介して長手方向の側縁部が互いに連結されている。これにより外装パネル２２が形成されている。
【００３１】
そして、下地パネル２１と外装パネル２２とは、アングル２８を貫通するビスや釘等の固定部材２９によって重ね合わせられた状態で固定されている。
【００３２】
さらに、各小割パネル２３の間には目地材としての防水材（ガスケット・シーリング材）Ｂが充填され、浸水を防止している。
【００３３】
以下、この外壁パネル２０を建物ユニット１０に取り付ける方法について説明する。
【００３４】
外壁パネル２０を取り付けるには、まず、下地パネル２１を建物ユニット１０の柱１０Ｂに固定する。このとき、下地パネル２１は柱１０Ｂの屋外側に固定されるので、作業方向は建物ユニット１０の屋外側からとなる。
【００３５】
一方、あらかじめ複数の小割パネル２３を連結して、外装パネル２２を形成しておく。
【００３６】
外装パネル２２を形成するには、まず、複数の小割パネル２３のそれぞれの長手方向側縁部にフレーム２５を固定する。そして、一対の小割パネル２３間にアングル２８を位置させてから、それぞれの小割パネル２３に固定された一方のフレーム２５とアングル２８とをリベット２７によって固定する。これにより小割パネル２３が連結され、外装パネル２２が形成される。
【００３７】
また、各小割パネル２３には、連結する前にあらかじめ屋外側に表面処理を施してもよいし、連結した後に表面処理を施してもよい。
【００３８】
このように外装パネル２２が形成された後、この外装パネル２２は下地パネル２１と重ね合わされ、屋外側からアングル２８を貫通する固定部材２９によって下地パネル２１に固着される。なお、このとき、柱１０Ｂとアングル２８とを対向させて固定部材２９が柱１０Ｂに挿入されるようにすると強固に固着することができる。
【００３９】
最後に隣接する小割パネル２３間に生じた隙間に屋外側から防水材Ｂを充填し、外壁パネル２０を建物ユニット１０に取り付ける作業は終了する。
【００４０】
以上説明したような方法によって建物ユニット１０に取り付けられる外壁パネル２０では、建物ユニット１０に取り付けるための作業方向が屋外側からの一方向のみとなる。そのため、建物ユニット２０の屋内側と屋外側とからそれぞれ作業をする必要がなくなり、作業方向が一定になる。そして、作業の人工や工数等の増加を抑制して短時間で容易に建物ユニット１０を製造することが可能となる。
【００４１】
また、外壁パネル２０だけを製造する場合であっても、あらかじめ外装パネル２２を形成し、その後下地パネル２１に固着するので、作業方向が屋外側からの一方向となり、作業の人工や工数等の増加を抑制して、短時間で容易に製造することができる。そして、製造コストの低減を図ることも可能となる。
【００４２】
さらに、下地パネル２１の屋内側に断熱材を設ける場合であっても、断熱材を設ける前に外装パネル２２を取り付けても、断熱材を設けた後に外装パネル２２を取り付けてもどちらでもよく、作業手順が固定されない。そのため、作業進度や作業方法等に応じて適切な作業手順を採用することが可能となり、製造時間を短縮することが可能となる。
【００４３】
そして、このように外壁パネル２０の取り付けを短時間で容易に行うことができるので、建物ユニット１０を製造する際の製造ラインのラインスピードを確保することができ、効率よく生産することが可能となる。
【００４４】
また、外装パネル２２を下地パネル２１に固着する固定部材は、アングル２８を貫通するので、外装パネル２２を形成する各小割パネル２３に固定部材２９を設ける必要がなくなる。
【００４５】
そのため、小割パネル２３の屋外側の見映えが良好となり、外観品質の向上を図ることが可能となる。
【００４６】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００４７】
例えば、上述の実施の形態では、小割パネル２３の側縁部にフレーム２５が取り付けられ、このフレーム２５及びアングル２８を介して隣接する小割パネル２３同士が連結されているが、図３に示すように、アングル２８と小割パネル２３との間にフレーム２５を介していなくともよい。
【００４８】
この外装パネル３０の場合では、アングル２８の一方のフランジ部２８Ａが一方の小割パネル２３の屋内側に取り付けられ、他方のフランジ部２８Ｂが他方の小割パネル２３の屋内側に取り付けられている。
【００４９】
このようにフレーム２５を介していないので、部品点数の低減を図ることができ、製造コストの上昇を抑制することが可能となる。
【００５０】
また、アングル２８と小割パネル２３との間に介されたフレーム２５の連結面２５Ｃの幅により、外装パネル２２と下地パネル２１との距離を調節することができる。そのため、この外装パネル２２と下地パネル２１との間に生じる通気層によって断熱性能や遮音性能を調節することが可能となる。また、外装パネル２０の耐久性を向上させることもできる。
【００５１】
さらに、上述の外装パネル２０は、建物ユニット１０の側面に取り付けられているが、図４に示すように、天井枠組１０Ｃ上に取り付けてもよい。
【００５２】
この場合、天井枠組１０Ｃの内側に複数の梁１０Ｅを掛け渡し、この梁１０Ｅとアングル２８とを対向させた状態で外装パネル２０を固着すると、より強固に固定することができる。
【００５３】
【発明の効果】
この発明によれば、人工や工数等の増加を抑制し、短時間で容易に製造することができる外壁パネルの製造方法を提供することができる。
【図面の簡単な説明】
【図１】この発明に係る外装パネルを有する建物ユニットの分解斜視図である。
【図２】この発明に係る外壁パネルの分解断面図である。
【図３】この発明に係る外装パネルの他の例の断面図である。
【図４】この発明に係る外装パネルを有する建物ユニットの他の例の分解斜視図である。
【図５】従来の外壁パネルを示す分解断面図である。
【符号の説明】
２０        外壁パネル
２１        下地パネル
２２        外装パネル
２３        小割パネル
【図１】
2004339792.tif 000003
【図２】
2004339792.tif 000004
【図３】
2004339792.tif 000005
【図４】
2004339792.tif 000006
【図５】
2004339792.tif 000007